(57)【要約】【課題】切断面を歪ませることなく、必要量のテープを簡単に切断することが可能であるテープカッターを提供する。【解決手段】切断刃０１３１を含む切断刃部０１３０と、テープ０１９２を載置するテープ載置面０１１１を有するベース部０１１０と、テープ載置面０１１１に載置されたテープ０１９２上に配置されてテープ０１９２の巻回軸０１９１と略平行方向に切断刃部０１３０をスライドさせるスライド機構部０１５０を備え、テープ載置面０１１１上のテープ０１９２に対して切断刃部０１３０を押し付けるための押圧庇部０１６０をスライド機構部０１５０側からテープ０１９２の端部側に庇状に配置した。【選択図】図１Ａ
2020131415.tif 000002
【特許請求の範囲】
【請求項１】
ロール状に巻回され一面は布状面で他の一面は離型紙で構成されたテープを必要量切出すためのテープカッターであって、
テープを切断するための切断刃を含む切断刃部と、
一面又は他の一面を載置して他面又は一面側からの切断刃を受けるためのテープ載置面を有するテープ載置面部と、
テープ載置面上のテープの他面又は一面側からテープ上に配置されテープの巻回軸と略平行方向に前記切断刃部をスライドさせるためのスライド機構部と、
前記スライド機構部を介して切断刃部をテープの他面又は一面に対して押圧するためにスライド機構部側から庇状にテープ端部側に配置される押圧庇部と、
を有するテープカッター。
【請求項２】
前記押圧庇部には切断されたテープの成形をするための成形刃を有する成形刃部をさらに有する請求項１に記載のテープカッター。
【請求項３】
テープ載置面部の央部にテープを流し込むためのテープ流規制部をさらに有する請求項１又は請求項２に記載のテープカッター。
【発明の詳細な説明】
【技術分野】
【０００１】
本発明は、ロール状に巻回され一面は布状面で他の一面は離型紙で構成されたテープを必要量切出すためのテープカッターに関する。
【背景技術】
【０００２】
上記したテープは、通常、粘着剤が一体化された布状部分の粘着剤を覆うように離型紙を積層して成っていて、布状部分の粘着剤とは反対側の布状面がテープの一面を成し、粘着剤を覆う離型紙がテープの他の面を成している。このテープは、円筒状の巻回軸に巻回されて保持され、必要量切出して医療やスポーツのテーピングに使用される。
従来、このようなテープを必要量切出すためのテープカッターとしては、例えば、特許文献１に記載されたものがある。
【０００３】
このテープカッターは、巻回軸に巻回されたテープの端部を導入可能な隙間を形成して対向する上下の板部と、刃先が下板部側に配向された切断刃を保持するカッター部を備えており、カッター部は、上板部に開口形成されたテープ幅方向のガイド部に沿って移動するようになっている。
【０００４】
このテープカッターでは、上下の板部間の隙間からテープの端部を必要量引き出し、この状態で上下の板部でテープ両面から挟持する。
そして、上板部のガイド部に沿ってカッター部を移動させることにより、テープを幅方向に切断するようになっている。
【先行技術文献】
【特許文献】
【０００５】
【特許文献１】特開２００７−２３７３２７号公報
【発明の概要】
【発明が解決しようとする課題】
【０００６】
ところが、上記したテープカッターにおいて、上板部のガイド部に沿ってカッター部を移動させることで、上下の板部間の隙間から引き出したテープを切断することはできるものの、上下の板部によるテープの挟持の仕方が弱いと、ガイド部に沿って移動するカッター部の切断刃に対してテープが切断抵抗により引きずられてしまい、切断面が歪んで波打ったり毛羽立ったりしてしまうという問題があった。
【０００７】
また、切断面が歪まないようにテープをしっかり挟持するべく、上板部を下板部に強く押し付けようとする場合には、上板部のガイド部に沿ったカッター部の移動が、上板部を押す指や手のひらに少なからず妨げられることとなる。すなわち、上板部を押さえる位置を変えながらカッター部を移動させなくてはならないので、テープの切断動作が煩雑さを伴う上、カッター部の移動が途切れ途切れになる分だけ、シャープな切断面が得られないという問題があり、これを解決することが従来の課題となっている。
【０００８】
本発明は、上記した従来の課題を解決するために成されたものであり、切断面を歪ませることなく、必要量のテープを簡単に切断することが可能であるテープカッターを提供することを目的としている。
【課題を解決するための手段】
【０００９】
上記課題を解決するために、本発明は、以下のテープカッターを提供する。
すなわち、本発明における第１の発明は、ロール状に巻回され一面は布状面で他の一面は離型紙で構成されたテープを必要量切出すためのテープカッターであって、テープを切断するための切断刃を含む切断刃部と、一面又は他の一面を載置して他面又は一面側からの切断刃を受けるためのテープ載置面を有するテープ載置面部と、テープ載置面上のテープの他面又は一面側からテープ上に配置されテープの巻回軸と略平行方向に前記切断刃部をスライドさせるためのスライド機構部と、前記スライド機構部を介して切断刃部をテープの他面又は一面に対して押圧するためにスライド機構部側から庇状にテープ端部側に配置される押圧庇部と、を有する構成としている。
【００１０】
また、本発明における第２の発明は、前記押圧庇部には切断されたテープの成形をするための成形刃を有する成形刃部をさらに有する構成としている。
【００１１】
さらに、本発明における第３の発明は、テープ載置面部の央部にテープを流し込むためのテープ流規制部をさらに有する構成としている。
【発明の効果】
【００１２】
本発明によれば、巻回軸に巻回されたテープの端部を波打たせることなく、必要な分だけ簡単に切断することが可能であるという非常に優れた効果が得られる。
【図面の簡単な説明】
【００１３】
【図１Ａ】実施形態１のテープカッターを巻回軸に巻回されたテープにセットした状態の全体斜視図
【図１Ｂ】実施形態１のテープカッターの分解斜視図
【図１Ｃ】実施形態１のテープカッターを巻回軸に巻回されたテープにセットした状態の側面図
【図１Ｄ】実施形態１のテープカッターにおける切断刃部を図１Ｃ矢印方向から見た断面図
【図１Ｅ】実施形態１のテープカッターにおける切断刃部の組み立て要領説明図
【図１Ｆ】実施形態１のテープカッターによりテープを切断する際のテープ引出し時の全体斜視図
【図１Ｇ】実施形態１のテープカッターによるテープ切断時の全体斜視図
【図２Ａ】実施形態２のテープカッターの全体斜視図
【図２Ｂ】図２Ａにおける楕円内の部分を上方から見た一部を破断して示す部分拡大平面図
【図２Ｃ】実施形態２のテープカッターにおける成形刃部によるテープ成形切断時の部分斜視図
【図３Ａ】実施形態３におけるテープカッターのテープ載置面部であるベース部を仰視した状態の斜視図
【図３Ｂ】図３Ａにおける円内の部分を正面から見た部分拡大断面図
【図３Ｃ】実施形態３におけるテープカッターのテープ載置面部であるベース部をテープロール体に取り付けた状態の正面図
【発明を実施するための形態】
【００１４】
以下、本発明の実施の形態について、添付図面を用いて説明する。なお、本発明は、これら実施形態に何ら限定されるべきものではなく、その要旨を逸脱しない範囲において、種々なる態様で実施し得る。
＜実施形態１＞
＜概要＞
【００１５】
本実施形態のテープカッターは、切断刃を含む切断刃部と、テープを載置するテープ載置面を有するテープ載置面部と、テープ載置面に載置されたテープ上に配置されてテープの巻回軸と略平行方向に切断刃部をスライドさせるスライド機構部を備えていて、テープ載置面上のテープに対して切断刃部を押し付けるための押圧庇部をスライド機構部側からテープ端部側に庇状に配置したことを特徴とする。
【００１６】
本実施形態のテープカッターは梃の原理を利用しており、力点である押圧庇部を指先で押すと、支点となるスライド機構部を介して作用点である切断刃部の切断刃がテープ載置面上のテープに強く押し付けられることとなるので、この状態でスライド機構部により切断刃部をテープの巻回軸と略平行方向にスライドさせることで、テープをシャープに切断することができる。
この際、切断刃の押し付けは押圧庇部を指先で押すだけで成されるので、押圧庇部を押す指に妨げられることなく切断刃部を円滑にスライドさせることができるという効果を奏する。
＜構成＞
【００１７】
本実施形態に係るテープカッターは、円筒状の巻回軸に巻回されて保持されたテープを必要量切出すのに用いられるものである。
図１Ａに示すように、このテープカッター０１００は、円筒状の巻回軸０１９１にテープ０１９２を巻回して成るテープロール体０１９０に取り付くベース部（テープ載置面部）０１１０と、テープロール体０１９０から引き出したテープ０１９２をベース部０１１０とともに挟持する押さえ板部０１２０と、テープ０１９２を切断するための切断刃部０１３０と、この切断刃部０１３０をテープロール体０１９０の巻回軸０１９１と略平行を成す方向（図示矢印方向）にスライドさせるためのスライド機構部０１５０とを備えている。
【００１８】
ベース部０１１０は、合成樹脂から成る横長の板状を成しており、テープロール体０１９０に対してテープ０１９２の幅寸法を上回る長手方向を巻回軸０１９１の方向に合わせてセットされる。
【００１９】
ここで、テープ０１９２は、粘着剤が一体化された布状部分に対して粘着剤を覆うように離型紙を積層して成っており、この実施形態において、テープロール体０１９０から引き出したテープ０１９２の布状面（テープの一面）０１９３とは反対側の離型紙（テープの他の面）０１９４がベース部０１１０に接触する。
【００２０】
そこで、図１Ｂに示すように、テープ０１９２の離型紙０１９４が接触するベース部０１１０の図示上面を平滑なテープ載置面０１１１として形成することで、テープロール体０１９０から引き出したテープ０１９２が引っ掛かったりするのを防ぐようにしている。なお、テープ載置面０１１１に接するテープ０１９２の面は布状面０１９３であってもよい。
【００２１】
この際、図１Ｃにも示すように、テープ載置面０１１１のテープ導入側（図１Ｂ左上側、図１Ｃ左側）の側縁は、テープ排出側（図１Ｂ右下側、図１Ａ，Ｃ右側）の側縁の面取りによる傾斜面０１１２よりも勾配の緩い長い傾斜面０１１３として形成してある。
【００２２】
つまり、テープ載置面０１１１のテープ導入側に勾配の緩い長い傾斜面０１１３を配置することで、テープロール体０１９０から引き出したばかりの丸まろうとするテープ０１９２をテープ載置面０１１１に馴染ませるようにしている。
【００２３】
また、ベース部０１１０におけるテープ載置面０１１１の両側縁間には、後述する切断刃部０１３０の切断刃０１３１の刃先が入り込む溝０１１４がベース部０１１０の長手方向に沿って形成されている。
【００２４】
このベース部０１１０とともにテープ０１９２を挟持する押さえ板部０１２０は、ベース部０１１０と同様に、合成樹脂から成る横長の板状を成すものである。
【００２５】
この実施形態において、押さえ板部０１２０の両端部におけるテープ導入側には、長手方向に沿う軸孔０１２１がそれぞれ形成されており、一方、ベース部０１１０の両端部におけるテープ導入側には、長手方向に沿う支持軸０１１５が形成されている。
【００２６】
この押さえ板部０１２０は、両端部の軸孔０１２１をベース部０１１０の両端部の支持軸０１１５にそれぞれ嵌め込むことで、ベース部０１１０に対して支持軸０１１５周り（矢印方向）に回動自在となっている。
【００２７】
そして、ベース部０１１０に対して押さえ板部０１２０を開いた状態（図１Ｂに仮想線で示す状態）で、ベース部０１１０及び押さえ板部０１２０の間の隙間からテープ０１９２をテープ載置面０１１１上に引き込み、この状態で押さえ板部０１２０を閉じてベース部０１１０に重ねることで（図１Ａに示す状態とすることで）、テープ０１９２を挟持するようになっている。
【００２８】
切断刃部０１３０は、図１Ｃに示すように、テープ０１９２を切断するための切断刃０１３１及び合成樹脂から成るホルダ０１４０を具備している。この場合、切断刃０１３１には、図１Ｄに示すように、刃先がＶ字状の両刃を採用しており、この切断刃０１３１は、合成樹脂から成るケース０１３２に保持されている。
【００２９】
一方、ホルダ０１４０は、平型の直方体形状を成すもので、このホルダ０１４０の下部に突出状態で一体に形成された刃保持ブロック０１４２を有している。この刃保持ブロック０１４２は下方に向けて開口しており、切断刃０１３１を保持するケース０１３２は、この刃保持ブロック０１４２に嵌合保持されている。
【００３０】
切断刃部０１３０をスライドさせるためのスライド機構部０１５０は、押さえ板部０１２０における両側縁間に長手方向に沿って形成された底のないスライド溝０１５１を具備しており、この実施形態において、ケース０１３２を介して切断刃部０１３０の切断刃０１３１を保持した刃保持ブロック０１４２がスライド機構部０１５０の構成要素も兼ねるようにしている。
【００３１】
具体的には、両刃である切断刃０１３１の刃先を押さえ板部０１２０の長手方向に沿わせた状態で刃保持ブロック０１４２をスライド溝０１５１に摺動自在に嵌合するようにしている。
【００３２】
すなわち、刃保持ブロック０１４２を有するホルダ０１４０をスライド溝０１５１に沿って移動させることで、切断刃部０１３０の切断刃０１３１をテープロール体０１９０の巻回軸０１９１と略平行を成す方向にスライド（往復移動）させることができるようにしている。
【００３３】
この際、ホルダ０１４０の下部における刃保持ブロック０１４２の両脇（押さえ板部０１２０の両側縁側）に、押さえ板部０１２０の上面に形成された湾曲面０１２２上を滑動するスライド面０１４３，０１４３を形成することで、ホルダ０１４０のスライド溝０１５１に沿う移動を円滑で且つ安定して行えるようにしている。
【００３４】
加えて、押さえ板部０１２０の湾曲面０１２２において、スライド溝０１５１の両側にガイド溝０１５２，０１５２を形成すると共に、ホルダ０１４０のスライド面０１４３，０１４３に押さえ板部０１２０のガイド溝０１５２，０１５２に摺動自在に嵌り込む突条０１４５，０１４５を形成することで、ホルダ０１４０のスライド溝０１５１に沿う移動をより円滑で且つ安定して行えるようにしている。
【００３５】
さらに、ホルダ０１４０の上部には、操作つまみ０１４６を突出状態で一体に配置しており、これにより、ホルダ０１４０の移動をより一層楽に行えるようにしている。
【００３６】
この実施形態において、ホルダ０１４０の刃保持ブロック０１４２に対する切断刃０１３１のケース０１３２の取り付けは、以下のようにして行っている。すなわち、図１Ｅに示すように、ベース部０１１０に対して押さえ板部０１２０を開いた状態で、押さえ板部０１２０のスライド溝０１５１にホルダ０１４０の刃保持ブロック０１４２を挿入する。そして、この状態で、ホルダ０１４０の刃保持ブロック０１４２の開口から切断刃０１３１のケース０１３２を嵌め込んで、溶着又は接着剤により接合する。
【００３７】
ここで、ホルダ０１４０の刃保持ブロック０１４２の開口から嵌合する切断刃０１３１のケース０１３２における下端には、水平方向の鍔０１３３が配置してあり、これにより、ホルダ０１４０及び切断刃０１３１のケース０１３２のスライド溝０１５１からの離脱を防いでいる。
【００３８】
なお、スライド溝０１５１における刃保持ブロック０１４２の摺動が、がたつきなくそして円滑に行えるように、スライド溝０１５１を有する押さえ板部０１２０及び刃保持ブロック０１４２を有するホルダ０１４０のうちの少なくともいずれか一方に、合成樹脂として、例えば、ポリテトラフルオロエチレンを用いることが望ましい。
【００３９】
また、この実施形態において、押さえ板部０１２０のテープ排出側の側縁には、スライド機構部０１５０側からテープ０１９２の端部側に向けて庇状に延出する押圧庇部０１６０が配置されている。この押圧庇部０１６０は、スライド機構部０１５０を介して切断刃部０１３０の両刃である切断刃０１３１の刃先をテープ０１９２の布状面０１９３に対して押し付けるようになっている。
【００４０】
つまり、この実施形態において、押圧庇部０１６０を指先で押圧した状態では、押さえ板部０１２０を回動自在に支持するベース部０１１０の支持軸０１１５が梃の支点となり、押圧庇部０１６０が力点となって、作用点である切断刃０１３１の刃先がテープ０１９２を貫通してベース部０１１０の溝０１１４に入り込むようになっている。
【００４１】
この実施形態に係るテープカッター０１００において、テープ０１９２をテープロール体０１９０から引き出して切断する場合は、まず、図１Ｆに示すように、テープロール体０１９０に対してベース部０１１０の長手方向を巻回軸０１９１の方向に合わせてセットする。
【００４２】
次いで、ベース部０１１０に対して押さえ板部０１２０を開いた状態で、ベース部０１１０及び押さえ板部０１２０の間の隙間からテープ０１９２をテープ載置面０１１１上に引き込む。
続いて、この状態で押さえ板部０１２０を閉じてベース部０１１０に重ねてテープ０１９２を挟持する（図１Ａに示す状態）。なお、図１Ｆでは、押さえ板部０１２０のガイド溝０１５２や切断刃部０１３０やスライド機構部０１５０をいずれも省略している。
【００４３】
そして、この挟持状態において、図１Ｇに示すように、押さえ板部０１２０の押圧庇部０１６０を指先で白抜き矢印方向に押すと、スライド機構部０１５０を介して切断刃部０１３０の切断刃０１３１がベース部０１１０のテープ載置面０１１１上のテープに強く押し付けられることとなるので、切断刃０１３１の刃先がテープ０１９２を貫通してベース部０１１０の溝０１１４に入り込む。
【００４４】
この状態において、切断刃部０１３０のホルダ０１４０の操作つまみ０１４６を指で摘まんで、スライド機構部０１５０のスライド溝０１５１に沿ってホルダ０１４０を直線で示す状態から一点鎖線で示す状態を経て二点鎖線で示す状態となるまで図示矢印方向にスライドさせると、テープ０１９２の歪みのない切断面が得られることとなる。
なお、この実施形態において、切断刃０１３１に両刃を採用しているので、ホルダ０１４０を上記とは反対方向にスライドさせても切断することができる
【００４５】
特に、この実施形態では、ベース部０１１０とともにテープ０１９２を挟持する押さえ板部０１２０の開閉軸（ベース部０１１０の支持軸０１１５）が、切断刃０１３１の刃先が移動するテープ０１９２の幅方向に沿わせてあるので、上記したように、梃の原理で切断刃０１３１をテープ０１９２の幅方向全域においてテープ載置面０１１１上のテープ０１９２に強く押し付けることができ、その結果、テープ０１９２が切断刃０１３１に引きずられることがほとんど生じない。
【００４６】
この際、切断刃０１３１の押し付けは押圧庇部０１６０を指先で押すだけで成されるので、押圧庇部０１６０を押す指に妨げられることなく切断刃部０１３０を円滑にスライドさせ得ることとなる。
【００４７】
また、ホルダ０１４０の下部における刃保持ブロック０１４２の両脇に、押さえ板部０１２０の上面に形成された湾曲面０１２２上を滑動するスライド面０１４３，０１４３を配置しているので、切断刃部０１３０のスライド溝０１５１に沿う移動を円滑で且つ安定して行い得ることとなる。
【００４８】
さらに、押さえ板部０１２０におけるスライド溝０１５１の両側にガイド溝０１５２，０１５２を形成すると共に、ホルダ０１４０にこれらのガイド溝０１５２，０１５２に摺動自在に嵌り込む突条０１４５，０１４５を形成しているので、ホルダ０１４０のスライド溝０１５１に沿う移動をより円滑で且つ安定して行い得ることとなる。
＜効果＞
【００４９】
本実施形態により、従来技術に対して、必要量のテープ０１９２を簡単に、そして、切断面を歪ませることなくシャープに切断することができる。
＜実施形態２＞
＜概要＞
【００５０】
本実施形態は実施形態１を基本とし、切断されたテープの成形をするための成形刃を有する成形刃部を押圧庇部に配置することを特徴としている。
このように、成形刃部を押圧庇部に配置しているので、必要量のテープの切断のみならず、切断されたテープの成形をも行うことができるという効果を奏する。
＜構成＞
【００５１】
本実施形態において、先の実施形態と相違するところは、図２Ａ，図２Ｂに示すように、押さえ板部０２２０に配置した押圧庇部０２６０の付け根部分に、成形刃部を構成するテープ挿入溝０２６１が形成されている点と、このテープ挿入溝０２６１の奥部に同じく成形刃部を構成する成形刃０２６２が設けられている点と、テープ挿入溝０２６１の挿入口部にテープ押さえ０２６３が設置されている点にあり、他の構成は先の実施形態と同じである。
【００５２】
すなわち、この実施形態では、図２Ｃに示すように、切断されたテープ０２９２の端部を指で摘まんでテープ挿入溝０２６１に引き込み、テープ挿入溝０２６１の奥部における成形刃０２６２で成形切断するものとなっている。
【００５３】
この際、テープ挿入溝０２６１の挿入口に位置するテープ押さえ０２６３は、押圧庇部０２６０側に圧入されて図２Ｂ矢印方向に回動可能に支持されており、テープ挿入溝０２６１にテープ０２９２を引き込む際に、このテープ押さえ０２６３でテープ０２９２を押さえ板部０２２０に押し付けることで、テープ０２９２の引き込み動作の安定化を図っている。
＜効果＞
【００５４】
本実施形態では、成形刃部を押圧庇部０２６０に配置しているので、切断直後のテープ０２９２を素早く必要サイズに必要形状に成形することができる。
＜実施形態３＞
＜概要＞
【００５５】
本実施形態は、先の実施形態１,２を基本とし、テープ載置面部の央部にテープを流し込むためのテープ流規制部をさらに設けたことを特徴としている。
このように、テープ流規制部を設けることで、幅寸法の異なるテープの切断にも対応可能となる。
＜構成＞
【００５６】
本実施形態において、先の実施形態１,２と相違するところは、図３Ａに示すように、テープロール体０３９０に取り付くテープ載置面部であるベース部０３１０の下面に、テープロール体０３９０から引き出した一点鎖線で示すテープ０３９２をベース部０３１０の中心線ＣＬ上（央部）に流し込むためのテープ流規制部０３７０をさらに設けた点にあり、他の構成は先の実施形態１,２と同じである。
【００５７】
テープ流規制部０３７０は、ベース部０３１０の下面に形成した一対の開口０３１１，０３１１と、図３Ｂにも示すように、開口０３１１に下方から仮想線で示すように挿入して係止される脚０３８０を具備している。
【００５８】
一対の開口０３１１，０３１１は、ベース部０３１０の長手方向の同一直線Ｌ１上において、図３Ｃに示すように、ベース部０３１０の中心線ＣＬから等しい間隔ｄ１の位置に形成されている。
つまり、この一対の開口０３１１，０３１１に脚０３８０，０３８０を取り付けて、これらの脚０３８０，０３８０間にテープロール体０３９０が嵌り込むようにして、ベース部０３１０をテープロール体０３９０に取り付けることで、テープロール体０３９０から引き出したテープ０３９２をベース部０３１０の中心線ＣＬ上（央部）に流し込むことができるようになっている。
【００５９】
この際、テープロール体０３９０の両端部には、巻回軸０３９１の両端に固定されるプレート０３９８，０３９８を配置するようにしており、テープロール体０３９０に対するベース部０３１０の取り付けは、脚０３８０に形成された湾曲状突起０３８０ａをプレート０３９８に形成された円孔０３９８ａに嵌合させることで成されるようになっている
【００６０】
また、テープ流規制部０３７０は、ベース部０３１０の下面において、先の一対の開口０３１１，０３１１を配置した長手方向の直線Ｌ１とは別の直線Ｌ２上に、他の一対の開口０３１２，０３１２を設けており、これらの開口０３１２，０３１２の中心線ＣＬからの各間隔ｄ２は、開口０３１１、０３１１の中心線ＣＬからの間隔ｄ１よりも小さく設定されている。
【００６１】
つまり、これらの他の一対の開口０３１２，０３１２に脚０３８０，０３８０を取り付けることで、上記テープロール体０３９０とはテープ幅の異なる（テープ幅の小さい）仮想線で示すテープロール体０３９５から引き出したテープ０３９２も、ベース部０３１０の中心線ＣＬ上（央部）に流し込むことができるようになっている。すなわち、幅寸法の異なるテープの切断にも対応可能としている。
【００６２】
この仮想線で示すテープロール体０３９５に対するベース部０３１０の取り付けも、脚０３８０の湾曲状突起０３８０ａをプレート０３９９の円孔０３９９ａに嵌合させることで成されるようになっている。
【００６３】
なお、テープロール体０３９０，０３９５に対するベース部０３１０の取り付けは、プレート０３９８，０３９９を用いて行う仕様に限定されるものではなく、例えば、円孔を有するケースにテープロール体０３９０，０３９５を収容した上で、このケースを介してベース部０３１０を取り付けるようにしてもよい。
＜効果＞
【００６４】
本実施形態では、幅寸法の異なるテープロール体０３９０，０３９５からのテープの切断にも対応することができる。
【符号の説明】
【００６５】
０１００  テープカッター
０１１０，０３１０  ベース部（テープ載置面部）
０１１１  テープ載置面
０１３０  切断刃部
０１３１  切断刃
０１５０  スライド機構部
０１６０  押圧庇部
０１９１  テープの巻回軸
０１９２，０２９２，０３９２  テープ
０１９３  布状面（テープの一面）
０１９４  離型紙（テープの他の面）
０２６１  テープ挿入溝（成形刃部）
０２６２  成形刃（成形刃部）
０３７０  テープ流規制部
【図１Ａ】
2020131415.tif 000003
【図１Ｂ】
2020131415.tif 000004
【図１Ｃ】
2020131415.tif 000005
【図１Ｄ】
2020131415.tif 000006
【図１Ｅ】
2020131415.tif 000007
【図１Ｆ】
2020131415.tif 000008
【図１Ｇ】
2020131415.tif 000009
【図２Ａ】
2020131415.tif 000010
【図２Ｂ】
2020131415.tif 000011
【図２Ｃ】
2020131415.tif 000012
【図３Ａ】
2020131415.tif 000013
【図３Ｂ】
2020131415.tif 000014
【図３Ｃ】
2020131415.tif 000015